(57)【要約】【課題】重要部分を強調することができるコイン及びその製造方法を提供すること。【解決手段】コイン１０は、複数のＶ突条１４と、Ｖ突条１４の少なくとも一部に重なるＵ突条１６を具えているので、視覚効果により、Ｕ突条１６の部分が浮き出て見えるから、店名等の重要部分をＵ突条１６で構成することにより、重要部分を強調することができる。コイン１０は、平面２２に設けられた複数のＶ溝２４と、Ｖ溝２４の少なくとも一部に重なるように設けられた、Ｖ溝２４よりも深いＵ溝２６を具えた型２０を利用したプレス加工又は鋳造により製造することができる。【選択図】図１
2018183807.tif 000002
【特許請求の範囲】
【請求項１】
平面の少なくとも一部に設けられた複数のＶ溝と、
前記Ｖ溝の少なくとも一部に重ねて設けられた、前記Ｖ溝よりも深いＵ溝を具えた型をコインの少なくとも一面にプレスすることを特徴とする、
コインの製造方法。
【請求項２】
平面の少なくとも一部に設けられた複数のＶ溝と、
前記Ｖ溝の少なくとも一部に重ねて設けられた、前記Ｖ溝よりも深いＵ溝を具えた型に溶融金属を流し込み、凝固させることを特徴とする、
コインの製造方法。
【請求項３】
前記Ｕ溝が逆文字を構成し、
前記文字の１字が複数の前記Ｖ溝の少なくとも一部に重なるように設けられている、請求項１又は２のコインの製造方法。
【請求項４】
コインであって、
前記コインの少なくとも一方の面の少なくとも一部に設けられた、断面Ｖ字状の複数のＶ突条と、
前記Ｖ突条の少なくとも一部の上に重ねて設けられた、断面Ｕ字状のＵ突条を具えたことを特徴とする、
コイン。
【請求項５】
前記Ｕ突条が文字を構成し、
前記文字の１字が複数の前記Ｖ突条の少なくとも一部の上に重なっている、
請求項４のコイン。
【発明の詳細な説明】
【技術分野】
【０００１】
本発明は、例えば、遊技場で使用され、或いは、記念品用に製造されるコイン及びその製造方法に関する。
【背景技術】
【０００２】
遊技場で使用されているコインは、他の遊技場で使用されているコインと見分けられる様、また、審美性を向上させる様に様々な加工が施されている。このようなコインを開示するものとして、例えば、以下に挙げるものがある。
【先行技術文献】
【特許文献】
【０００３】
【特許文献１】特開２００７−５８８３６号公報
【特許文献２】特開２００９−１８９４７９号公報
【０００４】
特許文献１には、コインの表面に刻印された凹凸部の内、凹部にクリアラッカーと蓄光体を混合した蓄光体層を有するコインが開示されている。
【０００５】
特許文献２には、コインの表面の一部に潜像加工を施したコインが開示されている。
【発明の概要】
【発明が解決しようとする課題】
【０００６】
特許文献１のコインの場合、長期間におけるコインの使用により、凹部が汚れる等して、反射効果が失われる可能性がある。特に、店名等の重要部分を刻印した凹部の反射効果が失われた場合、店名等が目立たなくなってしまうという問題も生じ得る。
【０００７】
また、特許文献２のコインの場合、潜像加工を施すため、コインの表面の一部に、断面三角形状の凸条を同一方向に複数形成し、当該凸条の斜面の両側に加工をする必要がある。特許文献２に開示されているように、コインの中央部分に店名等を刻印し、その周囲に潜像加工を施せば、店名等の重要部分を目立たせることができる。しかし、潜像加工を施すため、コインを製造する型に複雑な加工を要するので、製造コストが掛かるという問題がある。
【０００８】
そこで、本発明は、前述した問題点に鑑み、重要部分を強調することができるコイン及びその製造方法を提供することをその目的とする。
【課題を解決するための手段】
【０００９】
本発明は、平面の少なくとも一部に設けられた複数のＶ溝と、
前記Ｖ溝の少なくとも一部に重ねて設けられた、前記Ｖ溝よりも深いＵ溝を具えた型をコインの少なくとも一面にプレスすることを特徴とするコインの製造方法、
又は、
平面の少なくとも一部に設けられた複数のＶ溝と、
前記Ｖ溝の少なくとも一部に重ねて設けられた、前記Ｖ溝よりも深いＵ溝を具えた型に溶融金属を流し込み、凝固させることを特徴とするコインの製造方法、
及び、
コインであって、
前記コインの少なくとも一方の面の少なくとも一部に設けられた、断面Ｖ字状の複数のＶ突条と、
前記Ｖ突条の少なくとも一部の上に重ねて設けられた、断面Ｕ字状のＵ突条を具えたことを特徴とするコインによって前記課題を解決した。
【発明の効果】
【００１０】
本発明によって提供されるコインは、その少なくとも一方の面に断面Ｖ字状の複数のＶ突条を具え、Ｖ突条の少なくとも一部に重なる、断面Ｕ字状のＵ突条を具えているので、視覚効果により、Ｕ突条の部分が浮き出て見える。よって、店名等の重要部分をＵ突条で構成することにより、重要部分を強調することができる。
【００１１】
また、Ｕ突条が文字を構成し、文字の１字が複数のＶ突条の少なくとも一部に重なっている構成とすれば、その１字の文字が一層浮き出て見えるので好ましい。
【図面の簡単な説明】
【００１２】
【図１】本発明の第１実施形態のコインの片面を表した正面図。
【図２】本発明の第１実施形態のコインの片面を製造するための型の正面図。
【図３】図２の型に形成された溝を説明するための図。
【図４】本発明の第２実施形態のコインの片面を表した正面図。
【発明を実施するための形態】
【００１３】
以下、本発明の実施形態を図１〜４を参照して説明する。但し、本発明はこの実施形態に限定されるものではない。
【００１４】
図１に示すコイン１０は、任意の大きさの円形であり、ステンレス、真鍮、アルミ、合金等の金属で構成されている。コイン１０の一方の面１２には、後に詳述する、複数のＶ突条１４で構成された模様と、Ｕ突条１６で構成された複数の文字が形成されている。なお、コイン１０の他方の面（図示省略）に、一方の面１２と同様の模様及び文字を形成することもでき、他の模様や文字を形成することも、勿論、可能である。なお、図示しての説明は省略するが、コイン１０の外縁は、多角形でもよく、また、側面１８には、任意で、多数の溝を形成し、或いは、文字等を刻印してもよい。
【００１５】
Ｖ突条１４は、一方の面１２上に設けられた線状の突起で、断面Ｖ字状である。すなわち、頂上が角になっている。コイン１０の場合、複数のＶ突条１４が渦状に設けられており、Ｖ突条１４の幅はコイン１０の外周側から中央に向かって縮小している。渦状を形成する複数のＶ突条１４とすることにより、後述するＵ突条１６を複数のＶ突条１４の少なくとも一部に重ね易い。なお、複数のＶ突条は、コイン１０のように、一方の面１２の全体に設ける以外に、一方の面１２の一部の領域にのみ形成してもよい。この場合、Ｖ突条を設けた領域以外に、他の模様等を施してもよい。
【００１６】
Ｕ突条１６は、Ｖ突条１４の少なくとも一部の上に重なるように設けられた線状の突起で、断面Ｕ字状である。本構成により、視覚効果で、Ｕ突条１６の部分が浮き出て見えるので、店名等の重要部分をＵ突条１６で構成することにより、重要部分を強調することができる。また、コイン１０の場合、Ｕ突条１６は、複数のアルファベットの文字を形成しており、それぞれの文字１字が複数のＶ突条の少なくとも一部に重なっている。このような構成とすれば、それぞれの１文字が一層浮き出て見えるようにすることができる。なお、Ｕ突条１６で形成する文字は、アルファベットの他、ひらがな、カタカナ、漢字等、他の言語であってもよいことは言うまでもなく、また、Ｕ突条１６で図柄を形成することもできる。
【００１７】
次に、図２，３を参照して、本発明のコインの製造方法について説明する。図２に示す型２０は、図１に示すコイン１０を製造するための型である。型２０の外縁は、コイン１０と同様に円形であるが、多角形とすることもできる。型２０は、平面２２に、断面Ｖ字状の複数のＶ溝２４が渦状に設けられており、Ｖ溝２４の幅は型２０の外周側から中央に向かって縮小している。渦状の複数のＶ溝２４とすることにより、後述するＵ溝２６を複数のＶ溝２４の少なくとも一部に重ね易い。なお、複数のＶ溝は、渦状以外にも他の形状とすることができ、型２０の平面２２の全体に設ける以外に、平面２２の一部の領域にのみ形成してもよい。この場合、Ｖ溝を設けた領域以外に、他の模様等を形成するための溝を設けることができる。
【００１８】
型２０には、Ｖ溝２４の少なくとも一部に重なるように、Ｖ溝２４よりも深いＵ溝２６が設けられている。Ｕ溝２６は、断面Ｕ字状である。Ｕ溝２６によって店名等の重要部分を構成すれば、製造したコインにおいて、重要部分が浮き出て見えるので、当該部分を強調することができる。なお、型２０のように、Ｕ溝が逆文字を構成し、文字１字が複数のＶ溝２４の少なくとも一部に重なっている構成とすれば、それぞれの１文字が一層浮き出て見えるようにすることができる。なお、Ｕ溝２６で形成する逆文字は、アルファベットの他、ひらがな、カタカナ、漢字等、他の言語であってもよいことは言うまでもなく、また、Ｕ溝２６で図柄を形成することもできる。
【００１９】
図３は、型２０のＶ溝２４とＵ溝２６の深さを説明するための図である。図中左側のように、Ｖ溝２４は、型２０の表面からＤ１の深さで形成される。一方、Ｕ溝２６は、図中右側のように、Ｖ溝２４の深さＤ１よりも深いＤ２の深さで形成される。Ｖ溝２４とＵ溝２６が形成される深さＤ１，Ｄ２は、コインの美観上、それぞれ、均一な深さが望ましいが、Ｕ溝２６の深さＤ２がＶ溝２４の深さＤ１よりも深く形成されれば、深さＤ１，Ｄ２は、均一である必要はない。図中中央は、Ｖ溝２４とＵ溝２６が重なっている部分の断面の一例を示すものである。
【００２０】
型２０は、ステンレス、真鍮、アルミ、合金等の金属で構成され、平面を有するコインの少なくとも一面にプレスすることにより、Ｖ溝２４とＵ溝２６に対応したＶ突条とＵ突条を具えるコインを製造することができる。また、型２０に溶融金属を流し込み、凝固させることによっても、同様のコインを製造することができる。
【００２１】
図４に示すコイン１０ａは、コイン１０とは別の態様の、平面１２ａに設けられたＶ突条１４ａを具えている。コイン１０ａのように、直線状のＶ突条１４ａを組み合わせて模様を形成することもでき、コイン１０のような曲線状のＶ突条１４と直線状のＶ突条１４ａを組み合わせた模様としてもよい。なお、Ｕ溝１６ａ，側面１８ａに関しては、コイン１０と同様のため、説明を省略する。
【００２２】
以上に説明したように、本発明によれば、重要部分を強調することができるコイン及びその製造方法を提供することができる。
【符号の説明】
【００２３】
１０，１０ａ  コイン
１４，１４ａ  Ｖ突条
１６，１６ａ  Ｕ突条
２０    型
２４    Ｖ溝
２６    Ｖ突条
【図１】
2018183807.tif 000003
【図２】
2018183807.tif 000004
【図３】
2018183807.tif 000005
【図４】
2018183807.tif 000006